【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
電荷を蓄積する少なくとも１つのセルと、
前記少なくとも１つのセルから電流が引き出されるときに経由可能な少なくとも１つの供給接点と、
感知接点と、
前記少なくとも１つのセルと前記少なくとも１つの供給接点との間に接続されて、選択的に前記セルを前記供給接点に接続し、前記少なくとも１つのセルと前記感知接点との間に接続されて、選択的に前記セルを前記感知接点に接続し、前記感知接点に接続されて、前記感知接点に存在する信号をモニタし、前記接点の１つに接続されて、接続された前記接点から認識信号を受信する制御回路と
を備えているバッテリであって、
前記制御回路は、
前記感知接点に存在する信号を同時にモニタしながら前記感知接点へ電圧を印加し、前記感知接点に存在する前記信号が第１の規定された信号である場合、前記少なくとも１つのセルを前記少なくとも１つの供給接点に接続し、前記感知接点への電圧の印加をネゲートし、前記認識信号の受信のために、前記認識信号が受信されるとき経由する前記接点をモニタし、
適切な認識信号が受信される場合、前記少なくとも１つのセルの前記少なくとも１つの供給接点への接続を継続し、
前記適切な認識信号が受信されない場合、前記少なくとも１つのセルを前記少なくとも１つの供給接点から切断し、前記少なくとも１つのセルと前記接点の１つとの間の接続のオンオフを繰り返し、
前記少なくとも１つのセルと前記接点との間の接続のオンが繰り返されるとき、前記感知接点に存在する信号をモニタし、前記信号が第２の規定された信号であるか否かを判断し、
前記第２の規定された信号が前記感知接点で感知されるとき、前記少なくとも１つのセルの前記接点へのオンオフが繰り返される接続を停止し、前記第１の規定された信号の存在に関して前記感知接点を同時にモニタしながら前記感知接点へ電圧を印加する前記ステップへと戻るように構成されている
バッテリ。
【請求項２】
前記少なくとも１つの供給接点は、カソード接点と、アノード接点と、前記感知接点とを含み、
前記感知接点は前記カソード接点と前記アノード接点から離れており、
前記制御回路は、更に、前記少なくとも１つのセルと前記接点の１つとの間の接続のオンおよびオフを繰り返すとき、前記セルを前記カソード接点に繰り返し接続するよう構成されている、請求項１に記載のバッテリ。
【請求項３】
前記感知接点は、更に、前記認識信号が受信される接点として機能する、請求項１または２のいずれかに記載のバッテリ。
【請求項４】
前記制御回路は、前記感知接点に存在する信号が電圧の変化を受けるかどうかを判断することにより、前記第１の規定された信号の存在に関して、前記感知接点をモニタするよう構成されている、請求項１〜３のいずれか１項に記載のバッテリ。
【請求項５】
前記制御回路は、更に、
前記第１の規定された信号が前記感知接点に存在すると判断された後、規定された期間の間、前記少なくとも１つのセルを前記少なくとも１つの供給接点に接続する前記ステップを実行し、
前記期間の後、適切な認識信号が受信されない場合、前記少なくとも１つのセルを前記少なくとも１つの供給接点から切断する前記ステップを実行するよう構成されている、請求項１〜４のいずれか１項に記載のバッテリ。
【請求項６】
前記制御回路は、前記認識信号が受信されるとき経由する前記モニタされる接点をモニタし、適切な認識コードを含んでいる認識信号が受信されたか判定する、請求項１〜５のいずれか１項に記載のバッテリ。
【請求項７】
前記制御回路は、
電圧を前記感知接点に電圧を印加する前記ステップと前記感知接点に印加された前記電圧をネゲートする前記ステップとを実行するために選択的に設定される第１のスイッチと、
前記少なくとも１つのセルと前記接点の１つとの間の接続のオンオフを繰り返す前記ステップを実行するために選択的に設定される第２のスイッチと
を含んでいる、請求項１〜６のいずれか１項に記載のバッテリ。
【請求項８】
更に、電流制限器を含んでおり、
認識信号の受信をモニタしながら、前記少なくとも１つのセルを前記少なくとも１つの供給接点に接続する前記ステップの間、及び前記少なくとも１つのセルと前記接点の１つの間の接続のオンオフを繰り返す前記ステップの間、前記制御回路は、前記少なくとも１つのセルを、前記セルが前記電流制限器を介して接続される前記接点に接続する、請求項１または７のいずれかに記載のバッテリ。
【請求項９】
前記制御回路は、適切な認識信号の受信に応答して、前記セルを前記電流制限器を介して前記供給接点に接続することなく前記少なくとも１つのセルを前記少なくとも１つの供給接点に接続する、請求項８に記載のバッテリ。
【請求項１０】
前記少なくとも１つセルと前記制御回路とは殺菌可能なハウジングの中に含まれている、請求項１〜９のいずれか１項に記載のバッテリ。
【請求項１１】
前記制御回路は、前記第１の規定された信号が受信され、ついで前記認識信号が受信されたか判定するために、前記接点のうちの単一の接点をモニタする、請求項１〜１０のいずれか１項に記載のバッテリ。
【請求項１２】
前記少なくとも１つのセルはリチウムイオンセルである、請求項１〜１１のいずれか１項に記載のバッテリ。
【請求項１３】
前記少なくとも１つのセルが再充電可能である、請求項１〜１２のいずれか１項に記載のバッテリ。
【請求項１４】
前記制御回路は、前記少なくとも１つの供給接点から前記少なくとも１つのセルへの電流の流れを調整するスイッチを含んでおり、
前記制御回路は、更に、前記バッテリが充電器に装着されていることを示す信号の存在を求めて前記接点の１つをモニタし、前記バッテリが充電器に装着されていることを示す信号を検出すると、充電器から前記少なくとも１つの供給接点を経由して前記少なくとも１つのセルに電流が供給されうるように前記スイッチを設定するように構成されている、請求項１３に記載のバッテリ。
【請求項１５】
前記制御回路は、更に、前記少なくとも１つのセルと前記感知接点の１つとの間の接続のオンオフを繰りかえす前記ステップの間、前記接続のオフを繰り返すステップの後、前記接続のオンを繰りかえすステップに先立って、前記感知接点を瞬間的に接地するよう構成されている、請求項１〜１４のいずれか１項に記載のバッテリ。
【請求項１６】
前記制御回路にメモリが接続されており、
前記感知接点は、更に、前記メモリからデータが読み出されあるいは前記メモリにデータが書き込まれるときに経由する接点として機能する、請求項１〜１５に記載のバッテリ。
【請求項１７】
前記制御回路は、更に、前記信号が前記第２の規定された信号であるか判断するために前記感知接点に存在する信号をモニタするとき、前記感知接点における信号が特定の電圧レベルにあるか判断するために前記感知接点をモニタすることにより、前記第２の規定された信号が存在するか判断するよう構成されている、請求項１〜１６のいずれかに記載のバッテリ。
【手続補正２】
【補正対象書類名】明細書
【補正対象項目名】０１３１
【補正方法】変更
【補正の内容】
【０１３１】
従って、添付の特許請求の範囲は、本発明の真の精神および範囲に属するすべての変更および修正に及ぶことを目的とする。
尚、出願当初の特許請求の範囲は以下の通りである。
［請求項１］
電荷を蓄積する少なくとも１つのセル（３２）と、
前記少なくとも１つのセルに接続されており、前記少なくとも１つの再充電可能なセルから電流が供給されるときに経由される少なくとも２つの接点（７８、８０、８２）と
を備えているバッテリ（３０）であって、
制御回路（１６４、２３４、２６０）が、前記少なくとも１つのセルの間と前記接点（７８、８０、８２）とに接続されて、前記接点への前記セルの接続を調整し、前記接点の少なくとも１つに存在する信号をモニタし、
前記制御回路は、
前記モニタされる接点（８２）における第１の規定された信号の検出に応答して、通信電圧が前記接点の間に印加されるように、前記少なくとも１つのセルを前記接点に接続し（３１４）、かつ、前記通信電圧が印加される間は、前記モニタされる接点に存在する前記信号をモニタし（３１８）、
第２の規定された信号が前記モニタされる接点（８２）に生じる場合には、このバッテリに接続されている装置に給電する（３２０）ために、電流が前記接点を経由して前記セルから供給されうるように、前記少なくとも１つのセルを前記接点に接続し、
前記第２の規定された信号が前記モニタされる接点（８２）に生じない場合には、前記通信電圧の前記接点間への印加のオンおよびオフを繰り返し（３３８、３４０）、前記通信電圧が前記接点（７８、８０、８２）間に印加されるときには、前記モニタされる接点に存在する電圧をモニタし（３１８）て、前記第２の規定された信号の存在／不在に基づき、前記装置に給電するための電流を供給するために、前記少なくとも１つのセルが前記接点に接続されるべきかどうかを判断するように構成されている
ことを特徴とするバッテリ。
［請求項２］
前記通信電圧の前記接点（７８、８０）間への印加のオンおよびオフを繰り返すとき、前記制御回路（１６４、２３４、２６０）は、更に、
前記通信電圧が前記接点に印加される間は、第３の規定された信号が前記モニタされる接点に生じるかどうかをモニタし（３４２）、
前記第３のモニタされる印加信号が前記モニタされる接点に生じる場合には、前記通信電圧の前記接点間へのオンおよびオフの繰り返しを終了し、
前記第１の規定された信号が前記モニタされる接点に生じるかどうかを判断するために、前記モニタされる接点（８２）に存在する信号をモニタするように構成されている、請求項１に記載のバッテリ。
［請求項３］
前記接点は、カソード接点（７８）と、アノード接点（８０）と、感知接点（８２）とを含み、
前記制御回路（１６４、２３４、２６０）は、前記感知接点（８２）に存在する信号をモニタするために前記感知接点に接続されている、請求項１または２に記載のバッテリ。
［請求項４］
前記感知接点（８２）は、更に、前記バッテリからデータが読み出される、または前記バッテリにデータが書き込まれるときに経由されるデータ接点として機能する、請求項３に記載のバッテリ。
［請求項５］
前記制御回路（１６４、２３４、２６０）は、更に、
前記少なくとも１つのセル（３２）からの電圧を前記モニタされる接点（８２）に選択的に印加し、
前記モニタされる接点において前記第１の規定された信号が検出される前に、前記少なくとも１つのセルからの電圧を前記モニタされる接点に印加し、
前記モニタされる接点（８２）において前記第１の規定された信号が検出されると、前記モニタされる接点への前記電圧の印加をネゲートする（３１６）ように構成されている、請求項１〜４のいずれか１項に記載のバッテリ。
［請求項６］
前記制御回路（１６４、２３４、２６０）が前記第１の規定された信号を求めて前記モニタされる接点（８２）をモニタするとき、前記制御回路は前記接点をモニタし、前記接点に存在する信号が第１の電圧レベルから第２の電圧レベルに変化するかどうかを判断する（３１２）、請求項１〜５のいずれか１項に記載のバッテリ。
［請求項７］
前記制御回路（１６４、２３４、２６０）が前記第２の規定された信号を求めて前記モニタされる接点（８２）をモニタするとき、前記制御回路は前記接点をモニタして、認識コードを含む信号が受け取られたかどうかを判断する、請求項１〜６のいずれか１項に記載のバッテリ。
［請求項８］
前記制御回路（１６４、２３４、２６０）は、前記少なくとも１つのセル（３２）と前記接点（７８）の１つとを選択的に接続／切断する少なくとも１つのスイッチ（１６４、２３４）を含んでいる、請求項１〜７のいずれか１項に記載のバッテリ。
［請求項９］
前記制御回路は、
前記接点（７８、８０）の間への前記通信電圧の印加を制御するように、選択的に設定される第１のスイッチ（２３４）と、
前記装置に給電するための電流が前記少なくとも１つのセル（３２）から前記接点（７８、８０）を経由して供給されうるように、選択的に設定される第２のスイッチ（１６４）と
を含んでいる、請求項１〜８のいずれか１項に記載のバッテリ。
［請求項１０］
選択的に作動可能な電流制限器（２１２、２１６、２１８、２２０、２２２、２２４、２２６、２３０）が、前記少なくとも１つのセル（３２）と前記接点（７８、８０）の１つとの間に配置されており、
前記通信電圧が電流が制限された電圧となるように前記接点（７８、８０）の間に前記通信電圧を与えるために、前記制御回路（１６４、２３４、２６０）が、前記電流制限器を選択的に作動させる、請求項１〜９のいずれか１項に記載のバッテリ。
［請求項１１］
前記制御回路は、更に、前記装置に給電するための電流が前記セルから供給されうるように前記少なくとも１つのセル（３２）を前記接点（７８、８０）に接続するときには、前記電流制限器を非活性化するように構成されている、請求項１０に記載のバッテリ。
［請求項１２］
前記少なくとも１つのセル（３２）と前記制御回路（１６４、２３４、２６０）とは殺菌可能なハウジング（７０、７２）の中に含まれている、請求項１〜１１のいずれか１項に記載のバッテリ。
［請求項１３］
前記制御回路（１６４、２３４、２６０）は、前記第１の規定された信号が検出され、次に前記第２の規定された信号が検出されるかどうかを判断するために、前記接点の１つにおいてモニタする、請求項１〜１２のいずれか１項に記載のバッテリ。
［請求項１４］
前記少なくとも１つのセル（３２）はリチウムイオンセルである、請求項１〜１３のいずれか１項に記載のバッテリ。
［請求項１５］
前記制御回路（１６４、２３４、２６０）は、前記接点の１つ（７８）から前記少なくとも１つのセル（３２）への電流の流れを調整する第３のスイッチ（１５２）を含んでおり、
前記制御回路は、更に、第４の規定された信号の存在を求めて前記接点の１つをモニタし、前記第４の規定された信号が検出されると、充電器（４０）から前記接点（７８、８２）を経由して前記少なくとも１つのセル（３２）に電流が供給されうるように前記スイッチ（１５２）を設定するように構成されている、請求項１〜１４のいずれか１項に記載のバッテリ。
［請求項１６］
前記少なくとも１つのセルが再充電可能である、請求項１〜１５のいずれか１項に記載のバッテリ。
［請求項１７］
動力生成ユニット（５４）を備えており、外科的医療処置を実行するための電動式外科用器具（５０）であって、前記動力生成ユニット（５４）に付勢電流を提供するために、請求項１〜１６のいずれか１項に記載のバッテリ（３０）が装着されている電動式外科用器具。
［請求項１８］
少なくとも１つの再充電可能なセル（３２）と、
前記少なくとも１つの再充電可能なセルに接続されており、前記少なくとも１つの再充電可能なセルから電流が供給されるときに経由される少なくとも２つの接点（７８、８０、８２）と
を備えているバッテリ（３０）において、
選択的に作動可能な電流制限器（２１２、２１６、２１８、２２０、２２２、２２４、２２６、２３０）が、前記少なくとも１つのセル（３２）と前記接点（７８、８０）の１つとの間に配置されており、
制御回路（１６４、２３４、２６０）は、前記接点（７８、８０、８２）の少なくとも１つと前記電流制限器（２１２、２１６、２１８、２２０、２２２、２２４、２２６、２３０）とに接続されて、前記電流制限器を作動させ、
前記制御回路は、
前記接点（７８、８０、８２）の１つに存在する信号に基づき、前記バッテリによって給電されうる装置（５０）が前記バッテリ（３０）に装着されているかどうかを判断し（３１２）、
前記バッテリが装置に装着されていることが検出されると、前記バッテリが前記少なくとも１つのセル（３２）から前記接点を経由して電流が制限された電圧を供給するように、前記電流制限器を作動させ（３１４）、
認識コードを含む信号が前記バッテリに装着された前記装置（５０）から受け取られるかどうかを判断し（３１８）、
前記認識コードが前記装着された装置（５０）から受け取られる場合には、前記電流制限器（２１２、２１６、２１８、２２０、２２２、２２４、２２６、２３０）を非活性化して、前記電流制限器によって制限されない電流を、前記少なくとも１つのセル（３２）から前記端子（７８、８０、８２）を経由して前記装着された装置（３２０、３２２）に供給するように構成されている
ことを特徴とするバッテリ。
［請求項１９］
前記接点は、カソード接点（７８）と、アノード接点（８０）と、感知接点（８２）とを含んでおり、
前記制御回路（１６４、２３４、２６０）は、前記感知接点（８２）に存在する信号をモニタし、前記装置が前記バッテリに接続されているかどうかまたは前記認識コードが受け取られるかどうかの少なくとも一方を判断するために、前記感知接点に接続されている、請求項１８に記載のバッテリ。
［請求項２０］
前記制御回路（１６４、２３４、２６０）は、前記感知接点（８２）に存在する信号をモニタし、装置が前記バッテリに装着されているかどうかまたは前記認識コードが受け取られるかどうかの両方を判断するために、前記感知接点に接続されている、請求項１８に記載のバッテリ。
［請求項２１］
前記感知接点（８２）は、更に、前記バッテリからデータが読み出されるとき、または前記バッテリにデータが書き込まれるときに経由されるデータ接点として機能する、請求項１９または２０に記載のバッテリ。
［請求項２２］
前記制御回路（１６４、２３４、２６０）が、更に、
前記装置が前記バッテリに装着されているかどうかを判断するために前記制御回路（１６４、２３４、２６０）によってモニタされる前記接点（７８、８０、８２）に、前記少なくとも１つのセル（３２）からの電圧を選択的に印加し、
装置（５０）が前記バッテリ（３０）に装着されていると判断する前に、前記少なくとも１つのセルからの電圧を前記モニタされる接点に印加し、
装置（５０）が前記バッテリに装着されていると判断すると、前記接点への前記電圧の印加をネゲートする（３１６）ように構成されている、請求項１８〜２１のいずれか１項に記載のバッテリ。
［請求項２３］
前記制御回路（１６４、２３４、２６０）は、前記接点に存在する信号が第１の電圧レベルから第２の電圧レベルに変化するかどうかを判断することにより、前記装置（５０）が前記バッテリに装着されているかどうかを判断する（３１２）、請求項１８〜２２のいずれか１項に記載のバッテリ。
［請求項２４］
前記制御回路は、前記少なくとも１つのセル（３２）と、前記バッテリに装着された前記装置（５０）に電流が供給されるときに経由される前記接点の１つとを選択的に接続する第１のスイッチ（１６４）を含み、
前記制御回路は、前記認識コードを含む信号を受け取ると、前記第１のスイッチを閉じる（３２０）、請求項１８〜２３のいずれか１項に記載のバッテリ。
［請求項２５］
前記制御回路は、前記電流制限器（２１２、２１６、２１８、２２０、２２２、２２４、２２６、２３０）を非アクティブ／アクティブにするために選択的に閉鎖／開放される第２のスイッチ（２３４）を含んでいる、請求項１８〜２４のいずれか１項に記載のバッテリ。
［請求項２６］
前記制御回路（１６４、２３４、２６０）は、前記接点の１つ（７８）から前記少なくとも１つのセル（３２）への電流の流れを調整する第３のスイッチ（１５２）を含んでおり、
前記制御回路は、更に、前記バッテリが充電器に装着されていることを前記接点に存在する信号が示しているかどうかを判断する（２８２）ために、前記接点の１つをモニタするように構成されており、
前記制御回路は、バッテリが前記充電器（４０）に装着されていると判断すると、前記少なくとも１つのセルに電流が供給されうるように前記第２のスイッチを閉じる（２８４）、請求項１８〜２５のいずれか１項に記載のバッテリ。
［請求項２７］
前記制御回路（１６４、２３４、２６０）は、装置が前記バッテリに装着されているかどうかと、前記認識コードを含む信号が受け取られるかどうかとを判断するために、前記接点の１つ（８２）をモニタする、請求項１８〜２６のいずれか１項に記載のバッテリ。
［請求項２８］
前記電流制限器は複数のトランジスタ（２２０、２２２）を含んでいる、請求項１８〜２７のいずれか１項に記載のバッテリ。
［請求項２８］
前記少なくとも１つのセル（３２）と前記制御回路（１６４、２３４、２６０）は、殺菌可能なハウジング（７０、７２）の中に含まれている、請求項１８〜２７のいずれか１項に記載のバッテリ。
［請求項２９］
前記少なくとも１つのセル（３２）はリチウムイオンセルである、請求項１８〜２８のいずれか１項に記載のバッテリ。
［請求項３０］
前記少なくとも１つのセルはが再充電可能である、請求項１８〜２９のいずれか１項に記載のバッテリ。
［請求項３１］
動力生成ユニット（５４）を備えており、外科的医療処置を実行するための電動式外科用器具（５０）であって、前記動力生成ユニット（５４）に付勢電流を提供するために請求項１８〜３０のいずれか１項に記載のバッテリ（３０）が装着されている電動式外科用器具。